(57)【特許請求の範囲】
【請求項１】
モバイル端末に応用されるモバイル端末の片手操作状態を起動する方法において、
掌根接触イベントの前記モバイル端末のスクリーン上において持続する第１の持続時間を測定するステップと、
手指の前記スクリーンをタッチする第２の持続時間を測定するステップと、
前記第１の持続時間及び前記第２の持続時間によって、前記モバイル端末に設定された片手操作状態を起動することを確定するステップと、
を含み、
前記設定された片手操作状態は、設定された操作モード及び設定された操作インタフェースを含み、
前記第１の持続時間及び前記第２の持続時間によって前記モバイル端末に設定された片手操作状態を起動することを確定するステップは、
前記第１の持続時間が第１の所定閾値を超え、また、前記第２の持続時間が第２の所定閾値を超えたことを確認すると、前記設定された操作モードを起動するステップと、
前記第１の持続時間が前記第１の所定閾値を超え、また、前記第２の持続時間が前記第２の所定閾値よりも大きい第３の所定閾値を超えたことを確認すると、前記設定された操作インタフェースを起動するステップと、
を含むことを特徴とする片手でモバイル端末の操作状態を起動する方法。
【請求項２】
手指が前記スクリーンをタッチすることがモニタリングされたとき、前記手指の前記スクリーンをタッチする開始時刻を記録するステップと、
前記開始時刻から開始して、前記手指の前記スクリーンでのタッチ領域が所定の偏差範囲を超えたかをモニタリングするステップと、
前記タッチ領域が前記所定の偏差範囲を超えていないことがモニタリングされたとき、前記手指の前記タッチ領域でタッチする第２の持続時間を測定するステップを実行するステップと、
を含むことを特徴とする請求項１に記載の片手でモバイル端末の操作状態を起動する方法。
【請求項３】
前記設定された操作インタフェースは、少なくとも片手で操作する操作インタフェースとナビゲーションキーの操作インタフェースを含み、
前記設定された操作インタフェースを起動するステップは、
前記第１の持続時間が第１の所定閾値を超え、また、前記第２の持続時間が前記第３の所定閾値を超えたことを確認すると、前記片手で操作する操作インタフェースを起動するステップと、
前記第１の持続時間が第１の所定閾値を超え、また、前記第２の持続時間が前記第３の所定閾値よりも大きい第４の所定閾値を超えたことを確認すると、前記ナビゲーションキーの操作インタフェースを起動するステップと、
を含むことを特徴とする請求項１に記載の片手でモバイル端末の操作状態を起動する方法。
【請求項４】
前記設定された操作インタフェースは、リターンまたはキャンセルを操作する操作インタフェースをさらに含み、
前記片手で操作する操作インタフェースを起動するか、または前記ナビゲーションキーの操作インタフェースを起動した後、前記方法は、
前記リターンまたはキャンセルを操作する操作インタフェースを起動するステップをさらに含むことを特徴とする請求項３に記載の片手でモバイル端末の操作状態を起動する方法。
【請求項５】
前記モバイル端末の設定オプションを介して、前記設定された片手操作状態を確定するステップをさらに含むことを特徴とする請求項１に記載の片手でモバイル端末の操作状態を起動する方法。
【請求項６】
モバイル端末に応用される片手でモバイル端末の片手操作状態を起動する、モバイル端末の装置において、
掌根接触イベントの前記モバイル端末のスクリーン上において持続する第１の持続時間を測定する第１の測定モジュールと、
手指の前記スクリーンをタッチする第２の持続時間を測定する第２の測定モジュールと、
前記第１の測定モジュールが測定した前記第１の持続時間及び前記第２の測定モジュールが測定した前記第２の持続時間によって、前記モバイル端末に設定された片手操作状態を起動することを確定する第１の確定モジュールと、
を含み、
前記設定された片手操作状態は、設定された操作モード及び設定された操作インタフェースを含み、
前記第１の確定モジュールは、
前記第１の測定モジュールが測定した前記第１の持続時間が第１の所定閾値を超え、また、前記第２の測定モジュールが測定した前記第２の持続時間が第２の所定閾値を超えた場合、前記設定された操作モードを起動する第１の起動サブモジュールと、
前記第１の測定モジュールが測定した前記第１の持続時間が前記第１の所定閾値を超え、また、第２の測定モジュールが測定した前記第２の持続時間が前記第２の所定閾値よりも大きい第３の所定閾値を超えると、前記設定された操作インタフェースを起動する第２の起動サブモジュールを含むことを特徴とする片手でモバイル端末の操作状態を起動する、モバイル端末の装置。
【請求項７】
手指が前記スクリーンをタッチすることがモニタリングされたとき、前記手指の前記スクリーンをタッチする開始時刻を記録する記録モジュールと、
前記記録モジュールが記録して獲得した前記開始時刻から開始して、前記手指の前記スクリーンでのタッチ領域が所定の偏差範囲を超えたかをモニタリングするモニタリングモジュールと、
をさらに含み、
前記モニタリングモジュールが、前記タッチ領域が前記所定の偏差範囲を超えていないことをモニタリングするとき、前記第２の測定モジュールが、前記手指のタッチ領域でタッチする第２の持続時間を測定することを特徴とする請求項６に記載の片手でモバイル端末の操作状態を起動する、モバイル端末の装置。
【請求項８】
前記設定された操作インタフェースは、少なくとも片手で操作する操作インタフェース及びナビゲーションキーの操作インタフェースを含み、
前記第２の起動サブモジュールは、
前記第２の測定モジュールが測定した前記第２の持続時間が前記第３の所定閾値を超えると、前記片手で操作する操作インタフェースを起動する第３の起動サブモジュールと、
前記第２の測定モジュールが測定した前記第２の持続時間が前記第３の所定閾値よりも大きい第４の所定閾値を超えると、前記ナビゲーションキーの操作インタフェースを起動する第４の起動サブモジュールとを含むことを特徴とする請求項６に記載の片手でモバイル端末の操作状態を起動する、モバイル端末の装置。
【請求項９】
前記設定された操作インタフェースは、リターンまたはキャンセルを操作する操作インタフェースをさらに含み、
前記第２の起動サブモジュールは、
前記第３の起動サブモジュールが、前記片手で操作する操作インタフェースを起動し、または前記第４の起動サブモジュールが、前記ナビゲーションキーの操作インタフェースを起動した後、前記リターンまたはキャンセルを操作する操作インタフェースを起動する第５の起動サブモジュールを含むことを特徴とする請求項８に記載の片手でモバイル端末の操作状態を起動する、モバイル端末の装置。
【請求項１０】
前記モバイル端末の設定オプションを介して、前記第１の確定モジュールが起動しようとする前記設定された片手操作状態を確定する第２の確定モジュールを含むことを特徴とする請求項６に記載の片手でモバイル端末の操作状態を起動する、モバイル端末の装置。
【請求項１１】
プロセッサと、
前記プロセッサが実行可能なプログラムを記憶するメモリーとを含む、
モバイル端末の装置であって、
前記プロセッサは、前記メモリーに記憶された前記プログラムが前記プロセッサ上で実行されることで、
掌根接触イベントの前記モバイル端末のスクリーン上において持続する第１の持続時間を測定し、
手指の前記スクリーンをタッチする第２の持続時間を測定し、
前記第１の持続時間及び前記第２の持続時間によって、前記モバイル端末に設定された片手操作状態を起動することを確定し、
前記設定された片手操作状態は、設定された操作モード及び設定された操作インタフェースを含み、
前記第１の持続時間及び前記第２の持続時間によって前記モバイル端末に設定された片手操作状態を起動することを確定することは、
前記第１の持続時間が第１の所定閾値を超え、また、前記第２の持続時間が第２の所定閾値を超えたことを確認すると、前記設定された操作モードを起動すること、
前記第１の持続時間が前記第１の所定閾値を超え、また、前記第２の持続時間が前記第２の所定閾値よりも大きい第３の所定閾値を超えたことを確認すると、前記設定された操作インタフェースを起動すること、を含む
片手でモバイル端末の操作状態を起動する、モバイル端末の装置。
【請求項１２】
プロセッサに実行されることにより、請求項１〜５のいずれか１項に記載の方法を実現することを特徴とするプログラム。
【請求項１３】
請求項１２に記載のプログラムが記録された記録媒体。
【発明の詳細な説明】
【技術分野】
【０００１】
本発明は、電子技術分野に関し、より詳細には、モバイル端末の操作状態を起動する方法、装置、プログラム及び記録媒体に関する。
【背景技術】
【０００２】
ユーザーが電子機器を把持したとき、特に、スクリーンが比較的大きい電子機器を把持したとき、関連技術では、片手モードの場合、ユーザーが片手で電子機器を把持した時の掌根接触領域を無視して他のタッチ領域のタッチ操作のみを認識する。
【０００３】
ところが、ユーザーが片手モードを採用する場合、ユーザーはメニューをクリックすることで、片手モードに入る。ユーザーが片手で装置を把持し、片手モードに入らなかったとき、掌根がスクリーンに接触して、片手でクリックしにくくなる。また、片手モードの選択は、スクリーンの固定位置をクリックする必要があるため、関連技術は、手指のタッチ位置の操作に適していない。さらに、ユーザーが両方の手を用いて協働操作して片手モードを起動することができ、ユーザーが操作モードに入る体験に大きな影響を与える。
【発明の概要】
【０００４】
関連技術に存在する問題を克服するために、本発明は、ユーザーが操作状態に入る体験を向上させることができるモバイル端末の操作状態を起動する方法、装置、プログラム及び記録媒体を提供する。
【０００５】
本発明の第１の実施態様では、
掌根接触イベントが前記モバイル端末のスクリーン上において持続する第１の持続時間をモニタリングするステップと、
手指が前記スクリーンをタッチする第２の持続時間を測定するステップと、
前記第１の持続時間及び前記第２の持続時間によって前記モバイル端末に設定された操作状態を起動することを確定するステップとを含む、モバイル端末の操作状態を起動する方法を提供する。
【０００６】
一実施態様では、上記方法は、
手指が前記スクリーンをタッチすることがモニタリングされたとき、前記手指が前記スクリーンに接触する開始時刻を記録するステップと、
前記開始時刻から開始して、前記手指が前記スクリーンでのタッチ領域が所定の偏差範囲を超えたかをモニタリングするステップ、
前記タッチ範囲が前記所定の偏差範囲を超えていないことがモニタリングされたとき、前記手指が前記タッチ領域でタッチする第２の持続時間を測定するステップを実行するステップとをさらに含む。
【０００７】
一実施態様では、前記設定された操作状態は、設定された操作モード及び設定された操作インタフェースを含み、前記第１の持続時間及び前記第２の持続時間によって前記モバイル端末に設定された操作状態を起動することを確定するステップは、
前記第１の持続時間が第１の所定閾値を超え、また、前記第２の持続時間が第２の所定閾値を超えたことを確定すると、前記設定された操作モードを起動するステップと、
前記第１の持続時間が前記第１の所定閾値を超え、また、前記第２の持続時間が前記第２の所定閾値よりも大きい第３の所定閾値を超えると、前記設定された操作インタフェースを起動するステップとを含む。
【０００８】
一実施態様では、前記設定された操作インタフェースは、少なくとも片手で操作する操作インタフェース及びナビゲーションキーの操作インタフェースを含む。前記設定された操作インタフェースを起動するステップは、
前記第２の持続時間が前記第３の所定閾値を超えると、前記片手で操作する操作インタフェースを起動するステップと、
前記第２の持続時間が前記第３の所定閾値よりも大きい第４の所定閾値を超えると、前記ナビゲーションキーの操作インタフェースを起動するステップとを含む。
【０００９】
一実施態様では、前記設定された操作インタフェースはリターンまたはキャンセルを操作するインタフェースをさらに含み、前記片手で操作する操作インタフェースを起動するか、または前記ナビゲーションの操作インタフェースを起動した後、前記方法は、
前記リターンまたはキャンセルを操作するためのインタフェースを起動するステップをさらに含む。
【００１０】
一実施態様では、上記方法は、
モバイル端末の設定オプションを介して前記設定された操作インタフェースを確定するステップをさらに含む。
【００１１】
本発明の第２の実施態様では、
掌根接触イベントが前記モバイル端末からの第１の持続時間を測定するように配置された第１の測定モジュールと、
手指が前記スクリーンをタッチする第２の持続時間を測定するように配置された第２の測定モジュールと、
前記第１の測定モジュールが測定した前記第１の持続時間及び前記第２の測定モジュールが測定した前記第２の持続時間によって、前記モバイル端末に設定された操作状態を起動することを確定するように配置された第１の確定モジュールとを含む、モバイル端末の操作状態を起動する装置を提供する。
【００１２】
一実施態様では、上記装置は、
手指が前記スクリーンをタッチすることがモニタリングされたとき、前記手指が前記スクリーンをタッチする開始時刻を記録するように配置された記録モジュールと、
前記記録モジュールが記録して獲得した前記開始時刻から開始して、前記手指が前記スクリーンでのタッチ領域が所定の偏差範囲を超えたかをモニタリングするように配置されたモニタリングモジュールとを含み、
前記モニタリングモジュールが、前記タッチ範囲が前記所定の偏差範囲を超えていないことをモニタリングするとき、前記第２の測定モジュールは、前記手指が前記タッチ領域でタッチする第２の持続時間を測定することができる。
【００１３】
一実施態様では、前記設定された操作状態は、設定された操作モード及び設定された操作インタフェースを含み、前記第１の確定モジュールは、
前記第１の測定モジュールが測定した前記第１の持続時間が第１の所定閾値を超え、また、前記第２の測定モジュールが測定した前記第２の持続時間が第２の所定閾値を超えた場合、前記設定された操作モードを起動するように配置された第１の起動サブモジュールと、
前記第１の測定モジュールが測定した前記第１の持続時間が第１の所定閾値を超え、また、前記第２の測定モジュールが測定した前記第２の持続時間が第３所定閾値を超えると、前記設定された操作モードを起動するように配置された第２起動のサブモジュールとを含むことができる。
【００１４】
一実施態様では、前記設定された操作インタフェースは、少なくとも片手で操作する操作インタフェース及びナビゲーションキーの操作インタフェースを含み、前記第２の起動サブモジュールは、
第２の測定モジュールが測定した前記第２の持続時間が前記第３の所定閾値を超えると、前記片手で操作する操作インタフェースを起動するように配置された第３の起動サブモジュールと、
前記第２の測定モジュールが測定した前記第２の持続時間が前記第３の所定閾値よりも大きい第４の所定閾値を超えると、前記ナビゲーションキーの操作インタフェースを起動するように配置された第４の起動サブモジュールとを含むことができる。
【００１５】
一実施態様では、前記設定された操作インタフェースはリターンまたはキャンセルを操作するインタフェースを含み、前記第２の起動サブモジュールは、
前記第３の起動サブモジュールが前記片手で操作する操作インタフェースを起動するか、または前記第４の起動サブモジュールが、前記ナビゲーションキーの操作インタフェースを起動した後、前記リターンまたはキャンセルを操作するためのインタフェースを起動するように配置された第５の起動サブモジュールをさらに含むことができる。
【００１６】
一実施態様では、上記装置は、
前記モバイル端末の設定オプションを介して前記第１の確定モジュールが起動しようとする、前記設定された操作インタフェースを確定するように配置された第２の確定モジュールをさらに含むことができる。
【００１７】
本発明の第３の実施態様では、
プロセッサと、
前記プロセッサが実行可能なコマンドを記憶するメモリーとを含み、
ここで、前記プロセッサは、
掌根接触イベントが前記モバイル端末のスクリーン上において持続する第１の持続時間を測定し、
手指が前記スクリーンをタッチする第２の持続時間を測定し、
前記第１の持続時間及び前記第２の持続時間によって前記モバイル端末で設定された操作状態を起動することを確定するように配置される、モバイル端末の操作状態を起動する装置を提供する。
本発明の第４の実施態様では、
プロセッサに実行されることにより、上記モバイル端末の操作状態を起動する方法を実現するプログラムを提供する。
本発明の第５の実施態様では、
上記プログラムが記録される記録媒体を提供する。
【発明の効果】
【００１８】
本発明の実施態様で提供された技術方案によると、下記のような有益な効果をもたらすことができる。すなわち、
掌根接触イベントの第１の持続時間および手指のタッチイベントの第２の持続時間を測定し、また、第１の持続時間および第２の持続時間によって、モバイル端末に設定された操作状態を起動することを確定することができ、ユーザーが片手操作を通じて設定された操作状態に入ることができる。こうして、ユーザーがモバイル端末を操作するためのステップを簡素化することにより、ユーザーが設定された操作状態にすぐに入ることができ、ユーザーがモバイル端末を操作する体験を向上させることができる。
【図面の簡単な説明】
【００１９】
ここで図面は、明細書に併合され、本明細書の一部を構成して、本発明に合致した実施形態を図示しながら、明細書と一緒に本発明の原理を説明する。
【図１Ａ】第１の実施形態に係るモバイル端末の操作状態を起動する方法を示すフローチャートである。
【図１Ｂ】第１の実施形態による掌根接触位置と手指のタッチ位置を示す説明図である。
【図２】第１の実施形態に係るモバイル端末の操作状態を起動する方法を示すフローチャートである。
【図３Ａ】第２の実施形態に係るモバイル端末の操作状態を起動する方法を示すフローチャートである。
【図３Ｂ】第２の実施形態に係る片手で操作する操作インタフェースを示す説明図である。
【図３Ｃ】第２の実施形態に係るナビゲーションキーの操作インタフェースを示す説明図である。
【図４】一実施形態によるモバイル端末の操作状態を起動する装置を示すブロック図である。
【図５】一実施形態によるもう一つのモバイル端末の操作状態を起動する装置を示すブロック図である。
【図６】一実施形態に係る第２有効サブモジュールを示すブロック図である。
【図７】一実施形態によるモバイル端末の操作状態を起動する装置に適用されるブロック図である。
【発明を実施するための形態】
【００２０】
以下、実施形態について詳細に説明し、その事例は、図面に示される。下記の記載が図面に関連するとき、別の表示がない場合は、それぞれの図面で、同じ数字は同じ、または似ている要素を表示する。下記の実施形態に記載された実施方式は、本発明と一致したすべての実施方式を代表するものではなく、逆に、ただ特許請求の範囲に記載した本発明のいくつかの方面と一致した装置または方法に関する例である。
【００２１】
図１Ａは、一実施形態によるモバイル端末の操作状態を起動する方法を示すフローチャートである。そのモバイル端末の操作状態を起動する方法は、モバイル端末（例えば、スマートフォン、タブレットＰＣ）に適用することができる。図１Ａに示すように、そのモバイル端末の操作状態を起動する方法は、下記のようなＳ１０１乃至Ｓ１０３のステップを含む。
【００２２】
Ｓ１０１ステップ：掌根接触イベントがモバイル端末のスクリーン上において持続する第１の持続時間を測定する。
【００２３】
例えば、図１Ｂに示すように、ユーザーがモバイル端末１０を把持したとき、モバイル端末１０のタッチ集積回路（ＩＣ）は、掌根接触領域１２を、ユーザーの掌根がモバイル端末１０と接触した掌根接触位置として認識する。掌根接触イベントが認識された後、タッチＩＣは、モバイル端末１０のホストに対応したメッセージ送信する。ホストがそのメッセージ受信した後、掌根接触イベントが持続される第１の持続時間を測定する。図１Ｂは、ユーザーが左手でモバイル端末１０を把持したことを例に挙げて説明した概略図である。当業者であれば、ユーザーが右手でモバイル端末１０を把持したとき、同様に、モバイル端末１０の右側の対応した領域が掌根接触領域及び手指タッチ領域であることを理解するはずである。
【００２４】
Ｓ１０２ステップ：手指がスクリーンをタッチする第２の持続時間を測定する。
【００２５】
上記Ｓ１０１ステップと同様に、ユーザーが手指でモバイル端末１０のスクリーンをクリックすると、タッチＩＣは手指の接触領域１１を、ユーザーがモバイル端末１０のスクリーンでのタッチ領域として認識する。手指タッチイベントを認識した後、タッチＩＣは、モバイル端末１０のホストに関連メッセージ送信する。ホストは、そのメッセージを受信した後、手指タッチイベントが持続する第２の持続時間を測定し始める。なお、本発明の実施形態が測定することができる手指は一つであることもあり、複数であってもよい。これに対応して、手指タッチイベントは、手指一本のタッチイベントであることもあり、手指複数のタッチイベントであることもある。また、これに対応して、第２の持続時間は、手指一本のタッチが持続する時間であることもあり、手指複数のタッチが持続する時間であることもある。本発明の実施形態は、手指の数に対して限定しない。そして、本発明の実施形態は、手指が動いているかについて限定しない。なお、継続的にモバイル端末のスクリーンをタッチすればよい。このような状況で、第２の持続時間を測定することができる。
【００２６】
Ｓ１０３ステップ：第１の持続時間および第２の持続時間によって、モバイル端末に設定された操作状態を起動することを確定する。
【００２７】
第１の持続時間および第２の持続時間の時間長さ設定を介して、異なる操作状態を起動することができる。例えば、第１の持続時間が２秒を超え、第２の操作時間が１.５秒を超えた状況で、ユーザーが把持したモバイル端末の片手モードを起動し、第１の持続時間が２秒を超え、第２の操作時間が２秒を超えたとき、設定された操作インタフェースを起動する。例えば、第２の操作時間が２秒を超えると、設定された片手で操作する操作インタフェースを起動し、第２の持続時間が３秒を超えると、ナビゲーションキーの操作インタフェースを起動する。ユーザーは、実際的な操作習慣によって相応の時間閾値を確定することができる。設定された操作状態は、例えば、操作モード（例えば、片手操作モード）、操作インタフェース（例えば、片手操作のオプションインタフェース、ナビゲーションキーのインタフェース、キャンセルまたはリターンのインタフェース、アドレス帳のインタフェース等）である。その設定された操作インタフェースは、ユーザーの実際の使用習慣によって設定される。例えば、ユーザーは、設定された操作インタフェースを片手モードのオプションインタフェースに設定して、オプションのインタフェースを介して、これからの操作のすべてが片手操作であることを確定し、ユーザーによるモバイル端末の操作を便利にし、または、ユーザーがその設定された操作インタフェースをアドレス帳のインタフェースに設定して、ユーザーは、アドレス帳のインタフェースから直接目標連絡先を選択することにより、ユーザーがより迅速に目標連絡先と通話することができる。
【００２８】
本実施形態では、掌根接触イベントの第１の持続時間および手指のタッチイベントの第２の持続時間を測定し、第１の持続時間および第２の持続時間によって、モバイル端末に設定された操作状態を起動することを確定して、ユーザーが片手操作を介して設定された操作状態に入ることができて、ユーザーがモバイル端末を操作するためのステップを簡素化することができ、ユーザーが設定された操作状態に比較的速く入ることができて、ユーザーがモバイル端末を操作する体験を向上させることができる。
【００２９】
一実施態様では、モバイル端末の操作状態を起動する方法は、
手指がスクリーンをタッチすることをモニタリングした場合は、手指がスクリーンをタッチする開始時刻を記録するステップと、
開始時間から開始して、手指がスクリーンでのタッチ領域が所定の偏差範囲を超えたかをモニタリングするステップと、
タッチ範囲が所定の偏差範囲を超えていないことをモニタリングした場合、前記Ｓ１０２ステップを実行するステップをさらに含むことができる。
【００３０】
一実施態様では、設定された操作状態が設定された操作モード及び設定された操作インタフェースを含むと、Ｓ１０３ステップは、
第１の持続時間が第１の所定閾値を超え、また、第２の持続時間が第２の所定閾値を超えた場合、設定された操作モードを起動するステップと、
第１の持続時間が第１の所定閾値を超え、また、第２の持続時間が第２の所定閾値よりも大きい第３の所定閾値を超えると、設定された操作インタフェースを起動するステップをさらに含むことができる。
【００３１】
一実施態様では、設定した操作インタフェースは、少なくとも片手で操作する操作インタフェース及びナビゲーションキーの操作インタフェースを含むと、上記設定された操作インタフェースを起動するステップは、
第２の持続時間が第３所定閾値を超えると、片手で操作する操作インタフェースを起動するステップと、
第２の持続時間が第３所定閾値よりも大きい第４の所定閾値を超えた場合、ナビゲーションキーの操作インタフェースを起動するステップとを含むことができる。
【００３２】
一実施態様では、設定された操作インタフェースがターンまたはキャンセルを操作する操作インタフェースを含み、片手で操作する操作インタフェースを起動するか、またはナビゲーションキーの操作インタフェースを起動した後、モバイル端末の操作状態を起動する方法は、
リターンまたはキャンセルを操作する操作インタフェースを起動するステップをさらに含むことができる。
【００３３】
一実施態様では、モバイル端末の操作状態を起動する方法は、
モバイル端末の設定オプションを介して設定された操作状態を確定するステップをさらに含むことができる。
【００３４】
具体的には、モバイル端末の操作インタフェースをどのように起動するかについて、後述の実施形態を参照すればよい。
【００３５】
ここまで、本発明の実施形態が提供した上記方法によれば、ユーザーが片手操作を介して設定された操作状態に入ることで、ユーザーがモバイル端末を操作するステップを簡素化され、設定された操作状態に迅速に入ることができ、モバイル端末を操作する体験を向上させることができる。
【００３６】
以下、具体的な実施形態を挙げて本発明の実施形態による技術方案を説明する。
【００３７】
図２は、第１の実施形態に係るモバイル端末の操作状態を起動する方法を示すフローチャートである。本実施形態は、本発明の実施形態で提供された上記方法を利用して、モバイル端末で片手操作対応モードを起動することを例に挙げて説明をする。図２に示すように、下記のようなステップを含む。
【００３８】
Ｓ２０１ステップ：掌根接触イベントがモバイル端末のスクリーン上において持続する第１の持続時間を測定する。
【００３９】
Ｓ２０１ステップ：Ｓ１０１ステップの記述を参照すればよいので、ここ冗長に記述しない。
【００４０】
Ｓ２０２ステップ：手指がスクリーンをタッチすることをモニタリングした場合は、手指がスクリーンをタッチする開始時刻を記録する。
【００４１】
例えば、ユーザーが２０１４年１２月４日１３時１５分２０秒に手指でスクリーンをタッチしたことがモニタリングされると、その時点を記録する。
【００４２】
Ｓ２０３ステップ：開始時間から開始して、手指がスクリーンでのタッチ領域が所定の偏差範囲を超えたかをモニタリングする。
【００４３】
Ｓ２０４ステップ：タッチ範囲が所定の偏差範囲を超えていないことをモニタリングされた場合、手指がタッチ領域でタッチする第２の持続時間を測定する。
【００４４】
Ｓ２０３ステップ及びＳ２０４ステップで、ユーザーが実際にモバイル端末を操作する過程で、ユーザーの手が震えることは避けられないので、ユーザーが手指でスクリーンをタッチする位置は、常にスクリーンの一箇所に固定することができない。本発明の実施形態は、手指がスクリーンでのタッチ領域が所定の偏差範囲を超えたかをモニタリングして、第２の持続時間をより正確に測定し、起動されたユーザーインタフェースがより正確にすることができる。
【００４５】
Ｓ２０５ステップ：第１の持続時間が第１の所定閾値を超え、また、第２の持続時間が第２の所定閾値を超えると、片手で操作する操作モードを起動する。
【００４６】
本実施形態では、設定された操作状態が片手操作モードであることを例に挙げて説明する。「片手で操作する操作モード」を起動することを介して、ユーザーがモバイル端末を操作するとき、手操作モードに直接入ることができ、一系列のクリック方式を採用しなければ、片手操作モードに入ることができない現象を避けることができ、これにより、ユーザーがモバイル端末を操作する操作ステップが簡素化され、ユーザーがモバイル端末をより便利に且つ素早く操作することができ、ユーザーがモバイル端末を操作する体験を向上させることができる。
【００４７】
図３Ａは、第２の実施形態に係るモバイル端末の操作状態を起動する方法を示すフローチャートである。本発明の実施形態は、本発明の実施形態による上記方法を用いて、モバイル端末に設定された操作インタフェース（設定された操作インタフェースは、片手で操作する操作インタフェースや、ナビゲーションキーの操作インタフェースを例に挙げる）を起動することを例に挙げて説明する。図３Ａに示すように、下記のようなステップを含む。
【００４８】
Ｓ３０１ステップ：モバイル端末の設定オプションを介して設定される操作状態を確定する。
【００４９】
一実施形態では、ユーザーは設定オプションを介して設定された操作インタフェースの設定を行うことで、起動されたユーザーインタフェースが、ユーザーがモバイル端末を使用する習慣をより体現することができ、ユーザーがモバイル端末を操作する体験をより一層大幅に向上させることができる。例えば、ユーザーは、設定オプションを介して設定された操作状態を片手で操作する操作インタフェースやナビゲーションキーの操作インタフェースに設定する。
【００５０】
Ｓ３０２ステップ：掌根接触イベントが前記モバイル端末のスクリーン上において持続する第１の持続時間を測定する。
【００５１】
Ｓ３０３ステップ：手指がスクリーンをタッチしたことがモニタリングされたとき、手指がスクリーンをタッチする開始時刻を記録する。
【００５２】
Ｓ３０４ステップ：開始時間から開始して、手指がスクリーンでのタッチ領域が所定の偏差範囲を超えたかをモニタリングする。
【００５３】
Ｓ３０５ステップ：タッチ範囲が所定の偏差範囲を超えていないことをモニタリングした場合、手指がタッチ領域でタッチする第２の持続時間を測定する。
【００５４】
Ｓ３０２ステップないしＳ３０５ステップは、Ｓ２０１ステップないしＳ２０４ステップをそれぞれ参照すればよいので、ここで説明を省略する。
【００５５】
Ｓ３０６ステップ：第１の持続時間が第１の所定閾値を超え、また、第２の持続時間が第３所定閾値を超えると、片手で操作する操作インタフェースを起動する。
【００５６】
例えば、第１の所定閾値が２秒であり、第２の所定閾値が１.５秒であり、第１の持続時間と第１の所定閾値とを比較し、第２の持続時間と第２の所定閾値とを比較することにより、起動された操作状態を確定する。そして、ユーザーインタフェースを起動するために、本発明の実施形態は、第３の所定閾値、第４所定閾値（例えば、第３の所定閾値は２.５秒、第４所定閾値は３.５秒等）、またはさらに多くの所定閾値を設定することで、モバイル端末のユーザーインタフェースの起動を確定することができる。本発明の実施形態の第１の所定閾値、第２の所定閾値などの所定閾値は、ユーザーの実際の使用習慣に基づき設定可能であり、本発明の実施形態は、具体的な閾値の時間の長さについて限定しない。
【００５７】
図３Ｂに示すように、モバイル端末の片手操作モードインタフェース３１を作動し、該当片手操作モードインタフェース３１には、「確認」」や「キャンセル」のオプションが設定され、ユーザーは片手操作モードインタフェース３１中の「確認」をクリックして、モバイル端末１０を片手操作モードに入らせることができる。以降のユーザーの操作のすべては、その片手操作モードに基づき行われ、ユーザーがモバイル端末をさらに楽に操作できる。
【００５８】
Ｓ３０７ステップ：第１の持続時間が第１の所定閾値を超え、また、第２の持続時間が第４の所定閾値を超えたことが確定される場合、ナビゲーションキーの操作インタフェースを起動する。
【００５９】
一実施形態では、第１の持続時間が２秒であり、第１の所定閾値が２秒であり、第２の持続時間が３秒であり、第３の所定閾値を２.５秒であるとき、図３Ｃに示すように、モバイル端末の仮想ナビゲーションキーインタフェース３２を作動する。仮想ナビゲーションキーインタフェース３２の機能の設定は、モバイル端末１０の実際のナビゲーションキーを参照すればよい。その仮想ナビゲーションキーインタフェース３２には、「上」、「下」、「左」、「右」、「確認」のオプションが設定され、この５つのオプションの操作機能は、実際のナビゲーションキーの機能と一致する。このナビゲーションキーのインタフェースを活動化することで、ユーザーは、モバイル端末１０に対して直接対応する操作ができ、ユーザーがモバイル端末をさらに楽に操作することができる。
【００６０】
Ｓ３０８ステップ：リターンの操作インタフェースを起動する。
【００６１】
図３Ｃに示すように、設定された操作インタフェースが「ナビゲーションキーの操作インタフェース」である場合、モバイル端末のユーザーインタフェースで、「リターンの操作インタフェース」３３を起動することができ、ユーザーが設定した操作インタフェースから元の操作インタフェースに戻ることができ、ユーザーが正常的にモバイル端末を使用することを確保することができる。或いは、リターンの操作インタフェースがキャンセルの操作インタフェースであってもよい。ユーザーが現在の操作インタフェースから先の操作インタフェースに戻すことを確保できればよい。
【００６２】
本実施形態では、設定された操作インタフェースが片手で操作する操作インタフェースやナビゲーションキーの操作インタフェースである状況を例に挙げて説明した。 「片手操作モード」を起動することで、ユーザーは自分でモバイル端末を操作する需要に応じて選択することができる。ユーザーが「確認」をクリックした後、ユーザーのこれからの操作のすべてが片手操作モードであり、ユーザーがモバイル端末をより楽に迅速に操作でき、ユーザーがモバイル端末を操作する体験を向上させることができる。 また、「仮想ナビゲーションキー」のユーザーインタフェースを起動することで、ユーザーが「仮想ナビゲーションキー」を介してモバイル端末に対して実際のナビゲーションキーの機能を実行して、ユーザーがモバイル端末をより楽に、より迅速に操作することができ、ユーザーがモバイル端末を操作する体験を向上させることができる。
【００６３】
図４は、一実施形態によるモバイル端末の操作状態を起動する装置を示すブロック図である。当該モバイル端末の操作状態を起動する装置は、モバイル端末に適用できる。図４に示すように、モバイル端末の操作状態を起動する装置は、
掌根接触イベントがモバイル端末のスクリーン上において持続する第１の持続時間を測定するように配置された第１の測定モジュール４１と、
手指がスクリーンをタッチする第２の持続時間を測定するように配置された第２の測定モジュール４２と、
第１の測定モジュール４１が測定した第１の持続時間および第２の測定モジュール４２が測定した第２の持続時間によって、モバイル端末に設定された操作状態を起動することを確定するように配置された第１の確定モジュール４３とを含む。
【００６４】
図５に示すように、上記装置は、
手指がスクリーンをタッチしたことをモニタリングした場合、手指がスクリーンをタッチする開始時刻を記録するように配置された記録モジュール４４と、
記録モジュール４４が記録して獲得した開始時刻から開始して、手指がスクリーンにタッチする領域が所定の偏差範囲を超えたかをモニタリングするように配置されたモニタリングモジュール４５とをさらに含み、
モニタリングモジュール４５がタッチ範囲が所定の偏差範囲を超えていないことをモニタリングした場合、第２の測定モジュール４２は、手指がタッチ領域でタッチする第２の持続時間を測定する。
【００６５】
一実施形態では、設定された操作状態は、設定された操作モード及び設定された操作インタフェースを含み、第１の確定モジュール４３は、
第１の測定モジュール４１が測定した第１の持続時間が第１の所定閾値を超え、また、第２の測定モジュール４２が測定した第２の持続時間が第２の所定閾値を超えた場合、設定された操作モードを起動するように配置された第１の起動サブモジュール４３１と、
第１の測定モジュール４１が測定した第１の持続時間が第１の所定閾値を超え、また、第２の測定モジュール４２が測定した第２の持続時間が第３所定閾値を超えると、設定された操作インタフェースを起動するように配置された第２の起動サブモジュール４３２とを含んでもよい。
【００６６】
一実施形態では、設定された操作インタフェースは、少なくとも片手で操作する操作インタフェース及びナビゲーションキーの操作インタフェースを含み、図６に示すように、第２の起動サブモジュール４３２は、
第２の測定モジュール４２が測定して獲得した第２の持続時間が第３所定閾値を超えると、片手で操作する操作インタフェースを起動するように配置された第３の起動サブモジュール４３２１と、
第２の測定モジュール４２が測定して獲得した第２の持続時間が第３所定閾値よりも大きい第４の所定閾値を超えた場合、ナビゲーションキーの操作インタフェースを起動するように配置された第４の起動サブモジュール４３２２とを含む。
【００６７】
一実施形態では設定された操作インタフェースは、少なくともリターンまたはキャンセルを操作する操作インタフェースを含むことができる。また、図６に示すように、第２の起動サブモジュール４３２は、
第３の起動サブモジュール４３２１が片手で操作する操作インタフェースを起動するか、または第４の起動サブモジュール４３２２がナビゲーションキーの操作インタフェースを起動した後、リターンまたはキャンセルを操作する操作インタフェースを起動するように配置された第５の起動サブモジュール４３２３をさらに含むことができる。
【００６８】
一実施形態では、上記装置は、
モバイル端末のインストールオプションを介して、第１の確定モジュール４３が起動しようとする、設定された操作状態を確定するように配置された第２確定モジュール４６をさらに含むことができる。
【００６９】
上記実施形態の装置について、それぞれのモジュールが操作を実行する具体的な方法は、関連する当該方法の実施形態で詳細に記述したので、ここで詳細な説明を省略する。
【００７０】
図７は、一実施形態に係るモバイル端末の操作状態を起動する装置に適用するブロック図である。装置７００は、モバイル端末、コンピュータ、デジタル放送端末、メッセージ送受装置、ゲームコンソール、タブレット装置、医療機器、ヘルス機器、ＰＤＡ(Personal Digital Assistant)などであってもよい。
【００７１】
図７を参照すると、装置７００は、処理モジュール７０２、メモリ７０４、電源モジュール７０６、マルチメディアモジュール７０８、オーディオモジュール７１０、入力/出力（Ｉ/Ｏ）インタフェース７１２、センサモジュール７１４、及び通信モジュール７１６のうちの１つ以上を含むことができる。
【００７２】
処理モジュール７０２は、通常、装置７００の全体の操作、例えば、ディスプレイ、モバイル端末の呼び出し、データ通信、カメラ操作や記録操作に関する操作を制御する。処理モジュール７０２は、前記方法の全部又は一部のステップを完了するように１つ以上のプロセッサ７２０を含んでコマンドを実行する。また、処理モジュール７０２は、他のモジュールとの相互作用を便利にするように、１つ以上のモジュールを含むことができる。例えば、処理モジュール７０２は、マルチメディアモジュール７０８と処理モジュール７０２との間の相互作用を便利にするように、マルチメディアモジュールを含んでもよい。
【００７３】
メモリ７０４は、様々なタイプのデータを保存して、装置７００での操作をサポートするように配置される。このようなデータは、例えば、装置７００で操作される任意のアプリケーションプログラム、又は方法のコマンド、連絡先のデータ、電話帳データ、メッセージ、画像、動画などを含む。また、メモリ７０４は、いずれタイプの揮発性又は非揮発性記憶装置、又はこれらの組み合わせで実現することができる。例えばＳＲＡＭ(Static Random Access Memory)、ＥＥＰＲＯＭ(Electrically Erasable Programmable Read-Only Memory)、ＥＰＲＯＭ(Erasable Programmable Read-Only Memory)、ＰＲＯＭ(Programmable Read-Only Memory)、ＲＯＭ(Read-Only Memory)、磁気メモリ、フラッシュメモリ、ディスク、又はＣＤであってもよい。
【００７４】
電源モジュール７０６は、装置７００の様々なモジュールに電力を提供する。電源モジュール７０６は、電源管理システム、１つ以上の電源や他の装置７００のための電力の生成、管理、及び分配に係るモジュールを含むことができる。
【００７５】
マルチメディアモジュール７０８は、前記装置７００とユーザーの間に出力インタフェースを提供するスクリーンを含む。一部の実施形態では、スクリーンは、液晶表示装置（ＬＣＤ）やタッチパネル（ＴＰ）を含むことができる。スクリーンがタッチパネルを含む場合、スクリーンは、タッチスクリーンで実現され、ユーザーからの入力信号を受信する。タッチパネルは、１つ以上のタッチセンサを含んで、タッチや、スライドや、パネル上の手の動きを感知する。上記タッチセンサは、タッチやスライド動作の境界を測定することができるだけでなく、上記タッチやスライド操作に関連する持続時間や圧力を測定することができる。一部の実施形態では、マルチメディアモジュール７０８は、１つのフロントカメラ、及び/又はバックカメラを含むことができる。装置７００が操作モードに設定される場合、例えば、撮影モードや動画モードの場合、フロントカメラ及び/又はバックカメラは、外部からのマルチメディアデータを受信することができる。それぞれのフロントカメラ及びバックカメラは、単一の固定された光学レンズシステムであってもよいし、焦点距離や光学ズーム機能を備えてもよい。
【００７６】
オーディオモジュール７１０は、オーディオ信号を出力及び/又は入力するように配置される。例えば、オーディオモジュール７１０は、１つのマイク（ＭＩＣ）を含んでもよい。装置７００が操作モードに設定される場合は、例えば、呼び出しモード、記録モード、音声識別モードの場合は、マイクは、外部オーディオ信号を受信するように配置される。受信されたオーディオ信号は、メモリ７０４に格納されるか、通信モジュール７１６を経て送信することができる。一部の実施形態では、オーディオモジュール７１０は、１つのスピーカーを含み、オーディオ信号を出力する。
【００７７】
Ｉ/Ｏインタフェース７１２は、処理モジュール７０２と周辺インタフェースモジュールの間にインタフェースを提供する。上記周辺インタフェースモジュールは、キーボード、クリックホイール、ボタンなどであってもよい。これらのボタンは、ホームページボタン、ボリュームボタン、操作ボタン、ロックボタンを含むが、これに限定しない。
【００７８】
センサモジュール７１４は、１つ以上のセンサを含み、装置７００の各方面の状態の評価を提供することができる。例えば、センサモジュール７１４は、装置７００のオン/オフ状態、モジュールの相対的な位置を測定することができる。例えば、上記モジュールは、装置７００のモニターや小さなキーボードであってもよい。センサモジュール７１４は、装置７００又は装置７００の１つのモジュールの位置の変化、ユーザーと装置７００が接触したか、装置７００の方位又は加速/減速、装置７００の温度変化を測定することができる。センサモジュール７１４は、接近センサを含んで、何の物理的な接触がない状況でも近くの物体の存在を測定するように配置される。センサモジュール７１４は、例えばＣＭＯＳ（Complementary Metal-Oxide-Semiconductor）又はＣＣＤ（Charge-Coupled Device）イメージセンサなどの光センサが含まれて、画像形成に使用される。このような実施形態では、センサモジュール７１４は、加速度センサ、ジャイロスコープセンサ、磁気センサ、圧力センサ、又は温度センサをさらに含んでもよい。
【００７９】
通信モジュール７１６は、装置７００と他の装置間で有線又は無線方式で便利に通信するように配置される。装置７００は、通信規格に基づいた、例えばＷｉＦｉ、２Ｇ又は４Ｇ又はこれらの組み合わせなどの無線インターネットにアクセスすることができる。一実施形態では、通信モジュール７１６は、放送チャンネルを経て外部の放送管理システムからの放送信号又は放送に関連する情報を受信する。一実施形態では、前記通信モジュール７１６には、ＮＦＣ(Near Field Communication)通信モジュールが含まれて、短距離通信を促進することができる。例えば、ＮＦＣモジュールはＲＦＩＤ(Radio Frequency Identification)技術、ＩｒＤＡ(Infrared Data Association)技術、ＵＷＢ(Ultra-Bandwidth)技術、ＢＴ(Bluetooth（登録商標)）技術やその他の技術に基づいて実現することができる。
【００８０】
一実施形態では、装置７００は、１つ以上のＡＳＩＣ（Application Specific Integrated Circuits）、ＤＳＰ（Digital Signal Processors）、ＤＳＰＤ（Digital Signal Processing Devices）、ＰＬＤ（Programmable Logic Devices）、ＦＰＧＡ（Field Programmable Gate Arrays）、コントローラ、マイクロコントローラ、マイクロプロセッサ、又はその他の電子素子で実現され、上記方法を実行する。
【００８１】
一実施形態では、コマンドを含む非一時性コンピュータ読取可能な記憶媒体、例えば、コマンドを含むメモリ７０４を提供する。上記コマンドは、装置７００のプロセッサ７２０によって実行され、前記方法を完成する。例えば、上記非一時性コンピュータ読取可能な記憶媒体は、ＲＯＭ、ＲＡＭ（Random Access Memory）、ＣＤ−ＲＯＭ、テープ、フロッピー（登録商標）ディスク、及び光データ記憶装置などであってもよい。
【００８２】
本分野技術は、本明細書の明細書を考慮して、ここで公開した発明を実践した後、本発明の他の実施案を容易に想到することができる。本願は、本発明の任意の変形、用途、または適応性の変化を含む旨がある。このような変形、用途、または適応性の変化は、本発明の一般的な原理を遵守し、本発明が公開されていない本技術分野の公知の知識や慣用技術手段を含む。明細書及び実施形態は、単に例示的であるだけで、本発明の真の範囲および精神は、添付された請求項で提出する。
【００８３】
もちろん、本発明は、前記で既に述べて図面に示した構造に限定されず、また、本発明の範囲を逸脱しない前提の下で、様々な修正や改変を行うことができる。本発明の範囲は、添付された特許請求の範囲によってのみ限定される。
【００８４】
本出願は、出願番号が２０１４１０７８４５７６．１であって、出願日が２０１４年１２月１６日である中国特許出願を基礎として優先権を主張して、当該中国特許出願の内容の全体を、本出願に援用する。
【図１Ａ】
0006556757.tif 000002
【図１Ｂ】
0006556757.tif 000003
【図２】
0006556757.tif 000004
【図３Ａ】
0006556757.tif 000005
【図３Ｂ】
0006556757.tif 000006
【図３Ｃ】
0006556757.tif 000007
【図４】
0006556757.tif 000008
【図５】
0006556757.tif 000009
【図６】
0006556757.tif 000010
【図７】
0006556757.tif 000011